(57)【要約】【課題】黄色ブドウ球菌の存在の有無を迅速かつ簡便に検査することができる黄色ブドウ球菌の検出方法を提供すること。【解決手段】黄色ブドウ球菌から放出されるＩｓａＡを指標として検出を行う。具体的には、抗ＩｓａＡ抗体を用いたＥＬＩＳＡ法、ドットブロット法、イムノクロマト法などにより検出を行う。ＩｓａＡを指標とする検出系は、黄色ブドウ球菌に対する特異性が非常に高いため、黄色ブドウ球菌を特異的に検出することができる。【選択図】図４
2009031009.tif 000002
【特許請求の範囲】
【請求項１】
検査試料中の黄色ブドウ球菌を検出または同定する方法であって、
抗ＩｓａＡ抗体を用いて黄色ブドウ球菌ＩｓａＡを検出するステップを含む、黄色ブドウ球菌の検出または同定方法。
【請求項２】
前記検査試料は、黄色ブドウ球菌を含みうる試料を１〜１０時間培養した培養物である、請求項１に記載の黄色ブドウ球菌の検出または同定方法。
【請求項３】
前記検査試料は、黄色ブドウ球菌を含みうる試料の非培養物である、請求項１に記載の黄色ブドウ球菌の検出または同定方法。
【請求項４】
前記検査試料中の黄色ブドウ球菌は対数増殖期の菌である、請求項１に記載の黄色ブドウ球菌の検出または同定方法。
【請求項５】
前記検出は、サンドイッチＥＬＩＳＡ法により行われる、請求項１に記載の黄色ブドウ球菌の検出または同定方法。
【請求項６】
前記検出は、ドットブロット法により行われる、請求項１に記載の黄色ブドウ球菌の検出または同定方法。
【請求項７】
前記検出は、イムノクロマト法により行われる、請求項１に記載の黄色ブドウ球菌の検出または同定方法。
【請求項８】
前記検査試料は食品または食品を取り扱う器具のいずれかである、請求項１に記載の黄色ブドウ球菌の検出または同定方法。
【請求項９】
前記検査試料は血液、咽頭拭い液やまたは化膿創からの分泌液のいずれかである、請求項１に記載の黄色ブドウ球菌の検出または同定方法。
【請求項１０】
検査試料中の黄色ブドウ球菌を検出する検出キットであって、
抗ＩｓａＡ抗体を有する、黄色ブドウ球菌の検出キット。
【発明の詳細な説明】
【技術分野】
【０００１】
本発明は、黄色ブドウ球菌の検出または同定方法および検出キットに関する。
【背景技術】
【０００２】
黄色ブドウ球菌（Staphylococcus aureus：スタフィロコッカス・アウレウス）は、肺炎や様々な化膿性疾患、敗血症などを引き起こす身近な感染菌の一つである。近年、メチシリン耐性黄色ブドウ球菌（ＭＲＳＡ）やバイコマイシン耐性黄色ブドウ球菌（ＶＲＳＡ）などの多剤耐性黄色ブドウ球菌による院内感染が数多く報告されており、その感染の有無を迅速、簡便かつ的確に検査できる検査方法の確立が強く望まれている。また、この菌は食中毒の主たる原因菌でもあり、食品衛生上の観点からも迅速、簡便かつ的確な検査方法の確立が望まれている。
【０００３】
従来の黄色ブドウ球菌の検査方法として、例えば、卵黄加マンニット食塩寒天培地などの選択培地を用いた方法がある。この方法では、検体を培地に接種した後、１〜２日間培養し、黄色ブドウ球菌と思われるコロニーの数を計測する。したがって、この方法には菌の存在の有無を推定するまでに日単位の時間を要するという問題がある。
【０００４】
また、ＭＲＳＡの検査方法として、菌表面に存在するタンパク質を対象としてラテックス凝集法を行う方法も知られている。この方法では、ラテックス凝集法自体は簡便に行うことができるものの、事前に１〜２日間培養を行って多数の菌を確保しなければならない。したがって、この方法にも菌の存在の有無を推定するまでに日単位の時間を要するという問題がある。また、ＭＲＳＡの菌株の中には、ラテックス凝集法で検出できないものも存在するという問題もある。
【０００５】
また、食品などの食中毒が問題となる検査試料に対しては、黄色ブドウ球菌が産生するエンテロトキシンを指標とする検査方法も知られている。しかし、エンテロトキシンは菌増殖の後期に産生されるため、この方法には、菌の数が少ないときは菌の存在を検出することができないという問題がある。
【０００６】
また、ＰＣＲ法を用いた検査方法も知られている。この方法は、検出感度および特異性が高いものの、陽性の結果が出たとしてもそれが必ずしも増殖可能な菌の存在を意味するものではないという問題がある。さらに、この方法では特別な機器や手技を要するという問題もある。
【０００７】
Immunodominant Staphylococcal Antigen A（以下、「ＩｓａＡ」と略記する）は、２０００年に初めて報告された、黄色ブドウ球菌の細胞壁に存在するタンパク質である（非特許文献１参照）。ＩｓａＡは菌体外に放出されることが知られており、黄色ブドウ球菌を培養した培養液上清にＩｓａＡが存在することが本発明者らによって報告されている（非特許文献２参照）。
【非特許文献１】Lorenz U., OhlsenK., Karch H., Hecker M., Thiede A. and Hacker J., "Human antibody response during sepsis against targets expressed by methicillinresistant Staphylococcus aureus", FRMS Immunol. Med. Microbiol., Vol. 29 (2000), p.145-153.
【非特許文献２】Sakata N., TerakuboS. and Mukai T., "SubcellularLocation of the Soluble Lytic TransglycosylaseHomologue in Staphylococcus aureus", Current Microbiology, Vol. 50 (2005), p.47-51.
【発明の開示】
【発明が解決しようとする課題】
【０００８】
上述のように、従来の検査方法では、黄色ブドウ球菌の存在の有無を迅速かつ簡便に検査することができなかった。
【０００９】
本発明は、かかる点に鑑みてなされたものであり、黄色ブドウ球菌の存在の有無を迅速かつ簡便に検査することができる黄色ブドウ球菌の検出または同定方法および検出キットを提供することを目的とする。
【課題を解決するための手段】
【００１０】
本発明者は、鋭意研究を行った結果、黄色ブドウ球菌が産生するＩｓａＡを指標とすることで上記課題を解決できることを見出し、本発明を完成させた。
【００１１】
すなわち、本発明は、以下の黄色ブドウ球菌の検出または同定方法に関する。
【００１２】
［１］検査試料中の黄色ブドウ球菌を検出または同定する方法であって、抗ＩｓａＡ抗体を用いて黄色ブドウ球菌ＩｓａＡを検出するステップを含む、黄色ブドウ球菌の検出または同定方法。
［２］前記検査試料は、黄色ブドウ球菌を含みうる試料を１〜１０時間培養した培養物である、［１］に記載の黄色ブドウ球菌の検出または同定方法。
［３］前記検査試料は、黄色ブドウ球菌を含みうる試料の非培養物である、［１］に記載の黄色ブドウ球菌の検出または同定方法。
［４］前記検査試料中の黄色ブドウ球菌は対数増殖期の菌である、［１］〜［３］のいずれかに記載の黄色ブドウ球菌の検出または同定方法。
［５］前記検出は、サンドイッチＥＬＩＳＡ法により行われる、［１］〜［４］のいずれかに記載の黄色ブドウ球菌の検出または同定方法。
［６］前記検出は、ドットブロット法により行われる、［１］〜［４］のいずれかに記載の黄色ブドウ球菌の検出または同定方法。
［７］前記検出は、イムノクロマト法により行われる、［１］〜［４］のいずれかに記載の黄色ブドウ球菌の検出または同定方法。
［８］前記検査試料は食品または食品を取り扱う器具のいずれかである、［１］〜［７］のいずれかに記載の黄色ブドウ球菌の検出または同定方法。
［９］前記検査試料は血液、咽頭拭い液やまたは化膿創からの分泌液のいずれかである、［１］〜［７］のいずれかに記載の黄色ブドウ球菌の検出または同定方法。
【００１３】
また、本発明は、以下の黄色ブドウ球菌の検出キットに関する。
【００１４】
［１０］検査試料中の黄色ブドウ球菌を検出する検出キットであって、抗ＩｓａＡ抗体を有する、黄色ブドウ球菌の検出キット。
【発明の効果】
【００１５】
本発明により、黄色ブドウ球菌の存在の有無を迅速、簡便かつ的確に検査することができる。例えば、本発明を食品や食品を取り扱う器具の衛生検査に適用した場合、検査時間が短いため、黄色ブドウ球菌が食品中や器具上で増殖してしまう前に検査結果を得ることができる。さらに、キットを用いて検出することにより、特殊な機器や熟練した手技を必要とすることなく簡便に検査を行うことができる。また、本発明を血液などの体液試料を検査試料とする感染症検査に適用した場合、検査時間が短いため、病状の更なる悪化の前に原因菌を特定し、適切な抗菌剤の選択などの的確な治療方針を早期に決定することができる。
【発明を実施するための最良の形態】
【００１６】
本発明は、黄色ブドウ球菌の存在の有無を検出する際に、黄色ブドウ球菌が産生するImmunodominant Staphylococcal Antigen A（ＩｓａＡ）を指標とすることを特徴とする。
【００１７】
ＩｓａＡは、前述の通り、黄色ブドウ球菌の細胞壁および黄色ブドウ球菌の培養液上清において存在が確認されている、２９ｋＤａの外分泌性タンパク質である（非特許文献１および非特許文献２参照）。
【００１８】
本発明者は、ＩｓａＡが黄色ブドウ球菌の増殖に伴って確実に産生されること、特にＩｓａＡが黄色ブドウ球菌の増殖初期から産生されることを見出した（実施例１および実施例２参照）。また、本発明者は、免疫学的測定法を用いることで、黄色ブドウ球菌が産生するＩｓａＡをごく微量な段階から検出できることも見出した。そして、本発明者は、黄色ブドウ球菌が産生するＩｓａＡを免疫学的測定法により検出することで、黄色ブドウ球菌の存在の有無を従来技術に比べてより迅速、簡便かつ特異的に検出しうることを見出したのである。
【００１９】
ＩｓａＡを免疫学的測定法により検出する際に用いる抗体は、黄色ブドウ球菌が産生するＩｓａＡに結合しうる抗体（抗ＩｓａＡ抗体）であれば特に限定されず、ポリクローナル抗体であってもよいしモノクローナル抗体であってもよい。これらの抗体は、必要に応じて酵素や蛍光物質などで標識されていてもよい。
【００２０】
ＩｓａＡを検出する際に用いる免疫学的測定法は、特に限定されず当業者に公知の方法から適宜選択すればよい。例えば、サンドイッチＥＬＩＳＡ法やドットブロット法などの酵素免疫測定法を用いて検出する場合は、抗ＩｓａＡ抗体を捕捉抗体とし、酵素標識抗ＩｓａＡ抗体を検出抗体として当業者に一般的に知られている手順で行えばよい。後述する実施例１にドットブロット法を用いて検出した例を示し、実施例２にＥＬＩＳＡ法を用いて検出した例を示す。予備実験としてＩｓａＡの検出感度を調べたところ、ドットブロット法では６０ｐｇ、ＥＬＩＳＡ法では１５０ｐｇと共に高感度であった（実施例１参照）。また、イムノクロマト法を用いて検出する場合には、抗ＩｓａＡ抗体を捕捉抗体とし、金コロイド標識抗ＩｓａＡ抗体を検出抗体として当業者に一般的に知られている手順で行えばよい。イムノクロマト法を用いることで検査時間をより短縮し（例えば、２０分前後）、検査手順をより簡便にすることができる。これらの免疫学的測定法は、例えば「免疫実験法ハンドブック」（中島泉編、名古屋大学出版会）に記載の方法に従うことで実施可能である。
【００２１】
本発明の検出系で検出しうる検査試料は、増殖可能な黄色ブドウ球菌を含みうるもの、または黄色ブドウ球菌が増殖したものであれば特に限定されず、目的に応じて様々なものを選択することができる。例えば、食品の衛生検査を目的とする場合は、当該食品またはその培養物を検査試料とすればよい。また、食品を取り扱う器具の衛生検査を目的とする場合は、当該器具の拭き取り試料またはその培養物を検査試料とすればよい。また、感染症患者の病原菌検査を目的とする場合は、当該患者の血液、咽頭拭い液もしくは化膿創からの分泌液などの体液試料またはその培養物を検査試料とすればよい。本発明の検出系では、食品や食品を取り扱う器具、体液試料などをそのまま培養することなく検査試料としても黄色ブドウ球菌を検出することができるが、これらを培養して培養液中で黄色ブドウ球菌を増殖させたものを検査試料としてもよい。これにより、培養液中のＩｓａＡの量を増やすことができるため、より正確な検査結果を得ることができる。このように検査前に検査試料を事前に培養する場合であっても、黄色ブドウ球菌は増殖開始と同時にＩｓａＡを産生するため、培養時間は従来技術（１〜２日）に比べてより短時間で十分である。例えば、検査試料は、黄色ブドウ球菌を含みうる試料を１〜３時間培養した培養物であってもよいし、１〜１０時間培養した培養物であってもよい。同様に、検査試料は、試料中の黄色ブドウ球菌が対数増殖期初期であってもよいし、対数増殖期後期であってもよい。
【００２２】
本発明の検出方法は、抗ＩｓａＡ抗体を含むキットを用いて行うことができる。すなわち、本発明の検出系はキット化することができる。このような検出キットは、特別な検査設備を有しない多くの施設（加工現場や製造現場など）において特に有効であり、例えば食品の加工処理の各段階における黄色ブドウ球菌による汚染を極めて容易に熟練した手技を必要とすることなく検出することができる。
【００２３】
例えば、イムノクロマト法用の検出キットとして、テストライン出現位置に抗ＩｓａＡ抗体を固定化し、試薬含有部に金コロイド標識抗ＩｓａＡ抗体を含ませたテストプレートが挙げられる。このようなテストプレート（検出キット）は、当業者に公知の方法を用いて製造することができる。このテストプレート（検出キット）を用いた検出手順の一例を以下に記す。
【００２４】
まず、試料溶液（例えば、検査試料の培養液上清）をテストプレートの試料滴下部に滴下すると、試薬含有部に含まれる金コロイド標識抗ＩｓａＡ抗体が溶解し、試料溶液中のＩｓａＡと複合体を形成する。形成された複合体は展開部を毛細管現象により移動し、テストライン出現位置に固定化された抗ＩｓａＡ抗体により捕捉され、金コロイドによる赤紫色のラインが出現する。ユーザは、この赤紫色のラインを目視により確認することで、試料溶液中のＩｓａＡの存在の有無（すなわち、検査試料中の黄色ブドウ球菌の存在の有無）を判定することができる。
【００２５】
本発明者がＩｓａＡのアミノ酸配列についてホモロジー検索を行ったところ、表皮ブドウ球菌（Staphylococcus epidermidis：スタフィロコッカス・エピデルミディス）のゲノムの塩基配列から予想されるアミノ酸配列に、ＩｓａＡのアミノ酸配列と比較的高い相同性を有する領域が存在することが予想された。また、化膿レンサ球菌（Streptococcus pyogenes：ストレプトコッカス・ピオゲンス）にも、ＩｓａＡのＣ末端側に存在するＳＬＴ（soluble lytic transglycosylase）領域のアミノ酸配列と約７０％の相同性を有するタンパク質が存在することが予想された。そこで、ブドウ球菌（Staphylococcus属の菌）およびレンサ球菌（Streptococcus属の菌）に対する特異性を調べたところ、本発明の検出系は、黄色ブドウ球菌に対する特異性が非常に高く、黄色ブドウ球菌を特異的に検出できる（同定できる）ことが確認された（実施例３参照）。また、本発明の検出系は、従来の検査方法では検出が困難であったクランピング因子を持たないＭＲＳＡをも検出できることも確認された（実施例３参照）。
【００２６】
以上のように、本発明は、黄色ブドウ球菌が産生するＩｓａＡを指標とするため、特別な機器や熟練した手技を必要とすることなく黄色ブドウ球菌の存在の有無を迅速かつ簡便に検査することができる。
【００２７】
以下、本発明を実施例を参照して詳細に説明するが、本発明はこれらの実施例により限定されない。
【実施例１】
【００２８】
実施例１では、抗ＩｓａＡ抗体を用いてドットブロット法により黄色ブドウ球菌を検出した例を示す。
【００２９】
１．抗ＩｓａＡ抗体の調製
［抗ＩｓａＡ抗体の調製］
非特許文献２に記載の方法に従って調製した組み換えタンパク質Ｈｉｓ−ＩｓａＡとフロイント完全アジュバントと混合したものをウサギの皮下に注射した。以降、同じ操作をフロイント不完全アジュバントを用いて３週間ごとに４回繰り返して、Ｈｉｓ−ＩｓａＡでウサギを免疫した。最後の注射から２週間後にこのウサギの血液から抗血清を調製し、この抗血清からMabTrap Kit（アマシャムバイオサイエンス社）を用いてＩｇＧ抗体を精製した。さらに、この精製したＩｇＧ抗体をアフィニティー精製して抗ＩｓａＡ抗体を調製した。この抗ＩｓａＡ抗体は、必要に応じてFluoroTag FITC Conjugation Kit（シグマ社）を用いてＦＩＴＣ（fluorescein isothiocyanate）で標識した。
【００３０】
［抗ＩｓａＡ抗体の検出感度の確認］
ニトロセルロース膜に抗原捕捉抗体を含む溶液（２０μｇ／ｍｌ、１００μl）をスポットした。ここでは、Ｈｉｓ−ＩｓａＡで免疫したウサギの抗血清から精製したＩｇＧ抗体（Anti-IsaA IgG）およびそれをさらにアフィニティー精製した抗ＩｓａＡ抗体（Anti-IsaA affinity purified IgG）を抗原捕捉抗体とし、免疫前のウサギ血清から精製したＩｇＧ（Pre-immune rabbit IgG）を抗体の対照とした。次いで、ニトロセルロース膜をＢＳＡ（ウシ血清アルブミン）でブロッキングし、洗浄した。ニトロセルロース膜の各スポットに系列希釈したＨｉｓ−ＩｓａＡ溶液を１００μｌ滴下し、室温で１時間インキュベートし、洗浄した。次いで、ニトロセルロース膜をＦＩＴＣ標識抗ＩｓａＡ抗体溶液（５μｇ／ｍｌ）中において室温で１時間インキュベートし、洗浄した。次いで、ニトロセルロース膜をアルカリフォスファターゼ標識抗ＦＩＴＣ抗体（シグマ社、８０００倍希釈）中において室温で１時間インキュベートし、洗浄した。最後に、ニトロセルロース膜を発色用基質ＮＢＴ−ＢＣＩＰ（シグマ社）中において室温で１０分間インキュベートして、シグナルを検出した。
【００３１】
図１は、抗ＩｓａＡ抗体の検出感度を示す写真である。縦軸は各スポットに結合させた抗原捕捉抗体の種類を示し、横軸は各スポットに滴下したＨｉｓ−ＩｓａＡの量を示す。この図に示されるように、二種類の抗体（Anti-IsaA IgG、Anti-IsaA affinity purified IgG）を抗原捕捉抗体とした場合には、６０ｐｇ（０.０６ｎｇ）のＨｉｓ−ＩｓａＡを検出することができた。一方、対照ＩｇＧ（Pre-immune rabbit IgG）を抗原捕捉抗体とした場合には、Ｈｉｓ−ＩｓａＡを全く検出することができなかった。このことから、抗ＩｓａＡ抗体のＩｓａＡに対する特異性が極めて高いことがわかる。
【００３２】
２．黄色ブドウ球菌の検出
［培養液上清の調製］
黄色ブドウ球菌（Staphylococcus aureus）２ＰＦ−１８株を４０ｍＬのＴＳＢ培地に接種して３７℃で培養した。遠心分離により回収した菌を、約２×１０８細胞／ｍｌとなるようにＰＢＳに懸濁させた。この懸濁液を、接種菌量が所定の値（１×１０６細胞／ｍｌ、１×１０５細胞／ｍｌ、１×１０４細胞／ｍｌ、１×１０３細胞／ｍｌ、１×１０２細胞／ｍｌ）となるように１０ｍｌのＴＳＢ培地に加え、３７℃で振とう培養を行った。培養を開始してから１時間ごとに培養液を採取した。採取した培養液は遠心分離し、上清を０.２２μｍのフィルターに通した後４倍に希釈した。
【００３３】
［ドットブロット法］
ニトロセルロース膜に抗ＩｓａＡ抗体を含む溶液（２０μｇ／ｍｌ、１００μl）をスポットした。次いで、ニトロセルロース膜をＢＳＡ（ウシ血清アルブミン）でブロッキングし、洗浄した。ニトロセルロース膜の各スポットに４倍希釈の培養液上清（それぞれ接種菌量および培養時間が異なる）を２００μｌ滴下し、室温で１時間インキュベートし、洗浄した。次いで、ニトロセルロース膜をＦＩＴＣ標識抗ＩｓａＡ抗体溶液（５μｇ／ｍｌ）中において室温で１時間インキュベートし、洗浄した。次いで、ニトロセルロース膜をアルカリフォスファターゼ標識抗ＦＩＴＣ抗体（シグマ社、８０００倍希釈）中において室温で１時間インキュベートし、洗浄した。最後に、ニトロセルロース膜を発色用基質ＮＢＴ−ＢＣＩＰ（シグマ社）中において室温で１０分間時間インキュベートして、シグナルを検出した。
【００３４】
図２は、培養時間と培養液上清中のＩｓａＡの量との関係を示す写真である。縦軸は各培養液上清の接種菌量（培養開始時における培養液単位量あたりの菌数）を示し、横軸は各培養液上清の培養時間を示す。
【００３５】
図２において、接種菌量が１×１０６個／ｍｌのときはわずか１時間の培養でシグナルを検出できることがわかる。同様に、接種菌量が１×１０５個／ｍｌのときは３時間の培養でシグナルを検出でき、接種菌量が１×１０４個／ｍｌのときは５時間の培養でシグナルを検出でき、接種菌量が１×１０３個／ｍｌのときは７時間の培養でシグナルを検出することができる。このように、図２から、接種菌量が増加するとシグナルを検出できるまでの時間が短縮されることがわかる。すなわち、試料中に１×１０３個／ｍｌ程度の黄色ブドウ球菌が存在していれば、７時間の培養で黄色ブドウ球菌の存在を確認でき、試料中に１×１０６個／ｍｌ程度の黄色ブドウ球菌が存在していれば、わずか１時間の培養で黄色ブドウ球菌の存在を確認できる。
【００３６】
以上のように、本発明の検出系は、試料中に黄色ブドウ球菌がごくわずかにしか存在しない場合であっても、最大でも１０時間程度の培養で黄色ブドウ球菌を検出することができる。
【実施例２】
【００３７】
実施例２では、抗ＩｓａＡ抗体を用いてＥＬＩＳＡ法により黄色ブドウ球菌を検出した例を示す。
【００３８】
１．抗ＩｓａＡ抗体の調製
実施例１で調製した抗ＩｓａＡ抗体を使用した。
【００３９】
２．黄色ブドウ球菌の検出
［培養液上清の調製］
実施例１と同様の手順で黄色ブドウ球菌（Staphylococcus aureus）２ＰＦ−１８株を培養し、培養を開始してから１時間ごとに培養液を採取した。採取した培養液は遠心分離し、上清を０.２２μｍのフィルターに通した後２倍に希釈した。
【００４０】
［ＥＬＩＳＡ法］
ＥＬＩＳＡプレート（住友ベークライト社）の各ウェルに実施例１で調製した抗ＩｓａＡ抗体のＰＢＳ溶液（２０μｇ／ｍｌ）を１００μｌ入れ、４℃で一晩インキュベートして、ＥＬＩＳＡプレートの各ウェルを抗ＩｓａＡ抗体でコーティングした。次いで、コーティングした各ウェルをＰＢＳで洗浄した後、Super Block Blocking Buffer in PBS（ピアス社）を用いてブロッキングした。ブロッキングした各ウェルに２倍希釈の培養液上清を１００μｌ入れ、室温で２時間インキュベートし、洗浄した。次いで、各ウェルにＦＩＴＣ標識抗ＩｓａＡ抗体のＰＢＳ溶液（４μｇ／ｍｌ）を１００μｌ入れ、室温で１時間インキュベートし、洗浄した。次いで、各ウェルにアルカリフォスファターゼ標識抗ＦＩＴＣ抗体（ダコ・サイトメーション社）のＰＢＳ溶液（１：４００）を１００μｌ入れ、室温で１時間インキュベートし、洗浄した。最後に、各ウェルにｐ−ニトロフェニルリン酸基質溶液（シグマ社）を１００μｌ入れ、室温で３０分間インキュベートして、シグナルを検出した。
【００４１】
図３は、培養時間と培養液上清中のＩｓａＡタンパク質の量との関係を示すグラフである。図３において、横軸は培養時間を示し、縦軸は吸光度（ＯＤ４０５）を示す。また、「○」は接種菌量が１×１０６個／ｍｌのときの結果を示し、「□」は接種菌量が１×１０５個／ｍｌのときの結果を示し、「△」は接種菌量が１×１０４個／ｍｌのときの結果を示し、「◇」は接種菌量が１×１０３個／ｍｌのときの結果を示し、「×」は接種菌量が１×１０２個／ｍｌのときの結果を示す。
【００４２】
図３において、培養０時間の吸光度から算出した０.３４２（＝平均値＋３×標準偏差値）をカットオフ値とすると、接種菌量が１×１０６個／ｍｌのときは１〜２時間の培養でシグナルを検出できることがわかる（図中○印参照）。同様に、接種菌量が１×１０５個／ｍｌのときは２〜３時間の培養でシグナルを検出でき（図中□印参照）、接種菌量が１×１０４個／ｍｌのときは４〜５時間の培養でシグナルを検出でき（図中△印参照）、接種菌量が１×１０３個／ｍｌのときは６〜７時間の培養でシグナルを検出することができる（図中◇印参照）。したがって、ドットブロット法による検出と同様に、接種菌量が増加するとシグナルを検出できるまでの時間が短縮されることがわかる。すなわち、試料中に１×１０３個／ｍｌ程度の黄色ブドウ球菌が存在していれば、７時間の培養で黄色ブドウ球菌の存在を推定でき、試料中に１×１０６個／ｍｌ程度の黄色ブドウ球菌が存在していれば、わずか２時間の培養で黄色ブドウ球菌の存在を推定できる。
【００４３】
以上のように、本発明の検出系は、試料中に黄色ブドウ球菌がごくわずかにしか存在しない場合であっても、最大でも１０時間程度の培養で黄色ブドウ球菌を検出することができる。
【実施例３】
【００４４】
実施例３では、抗ＩｓａＡ抗体を用いた検出系の特異性について調べた結果を示す。
【００４５】
１．抗ＩｓａＡ抗体の調製
実施例１で調製した抗ＩｓａＡ抗体を使用した。
【００４６】
２．ブドウ球菌およびレンサ球菌の検出
［培養液上清の調製］
黄色ブドウ球菌（Staphylococcus aureus）６株（２ＰＦ−１８株、ＣｏｗａｎＩ株、クランピング因子（−）のＭＲＳＡ４株）、それ以外のブドウ球菌５種（Staphylococcus capitis、S. epidermidis、S. haemolyticus、S. hominis、S. saprophyticus）および化膿レンサ球菌（Streptococcus pyogenes）のそれぞれについて、実施例１と同様の手順で一晩培養し、培養液を採取した。このとき、各培養液について吸光度（ＯＤ６００）を測定して、各菌が対数増殖期終期〜定常期の状態であることを確認した。採取した培養液は遠心分離し、上清を０.２２μｍのフィルターに通した後５０倍に希釈した。
【００４７】
［ＥＬＩＳＡ法］
各培養液上清およびＴＳＢ培地（対照）を試料として、実施例２と同様の手順でＥＬＩＳＡ法による検出を行った。
【００４８】
図４は、各菌の検出結果を示すグラフである。図４に示されるように、黄色ブドウ球菌の培養液上清では、ＭＲＳＡも含めたすべての菌株について吸光度（ＯＤ４０５）が１.２以上の強いシグナルが検出された。また、S. epidermidisおよびS. haemolyticusでは０.４〜０.５程度の弱いシグナルが検出されたが、これらのシグナルは黄色ブドウ球菌で検出されたシグナルとは強度が明確に異なるため、試料の適切な希釈により容易に区別されうると思われる。一方、その他のブドウ球菌およびレンサ球菌の培養液上清では、シグナルがほとんど検出されなかった。
【００４９】
以上のように、抗ＩｓａＡ抗体を用いた検出系は、黄色ブドウ球菌に対する特異性が非常に高く、黄色ブドウ球菌を特異的に検出すること（同定すること）ができる。
【産業上の利用可能性】
【００５０】
本発明は、特別な機器を用いずに黄色ブドウ球菌の有無を迅速かつ簡便に検査することができるため、例えば食品の製造工場や医療施設などにおいて黄色ブドウ球菌による汚染を検査するのに有用である。
【図面の簡単な説明】
【００５１】
【図１】抗ＩｓａＡ抗体の検出感度を示す写真
【図２】黄色ブドウ球菌の培養時間と培養液上清中のＩｓａＡの量との関係を示す写真
【図３】黄色ブドウ球菌の培養時間と培養液上清中のＩｓａＡの量との関係を示すグラフ
【図４】本発明の検出方法の黄色ブドウ球菌に対する特異性を示すグラフ
【図１】
2009031009.tif 000003
【図２】
2009031009.tif 000004
【図３】
2009031009.tif 000005
【図４】
2009031009.tif 000006